(57)【要約】【課題】コーキング剤をほぼ全て吐出させることができ、環境に悪影響を与えることなく廃棄できて、しかも廃棄時にかさばらないゲル状流体充填容器。【解決手段】容器本体１を合成樹脂製のシート材３で構成したゲル状流体充填容器Ａにおいて、上記容器本体１の吐出口６には、扁平状の吐出カラー２を固定し、この吐出カラー２には、内部のゲル状流体を吐出するためのノズル１２装着用の係止部１７を形成した。また、吐出カラー２には上記ゲル状流体を吐出する吐出口６が貫通形成され、この吐出口６を封止するのが好ましい。【選択図】図１
2008063006.tif 000002
【特許請求の範囲】
【請求項１】
容器本体をアルミ箔を挟んだ合成樹脂製のシート材で構成したゲル状流体充填容器において、上記容器本体の吐出口には、扁平状の吐出カラーを固定し、この吐出カラーには、内部のゲル状流体を吐出するためのノズル装着用の係止部を形成したことを特徴とするゲル状流体充填容器。
【請求項２】
上記吐出カラーには上記ゲル状流体を吐出する吐出口が貫通形成され、この吐出口をアルミ箔を挟んだ合成樹脂製のシート材によって封止した、請求項１に記載のゲル状流体充填容器。
【請求項３】
上記吐出カラーの両側には薄肉のフィンが形成されている、請求項１又は２に記載のゲル状流体充填容器。
【請求項４】
上記ノズルの基部は上記吐出カラーの吐出口内に嵌入されるものである、請求項１、２又は３に記載のゲル状流体充填容器。
【請求項５】
容器本体を合成樹脂製のシート材で構成した２つの容器本体に別個のゲル状流体を充填し、それぞれの吐出口を一体に結合してなるゲル状流体充填容器において、
それぞれの容器本体のゲル状溶液の吐出口には、扁平状の吐出カラーを固定し、両吐出カラーを重合して一体に結合するとともに、上記各吐出カラーの先端には断面が略半円形の吐出端部を形成し、上記両吐出カラーを結合したとき、吐出端部は円筒状に形成されることを特徴とするゲル状流体充填容器。
【請求項６】
容器本体をアルミ箔を挟んだ合成樹脂製のシート材で構成したゲル状流体充填容器において、上記容器本体の吐出口には、扁平状の吐出カラーを固定し、この吐出カラーには、内部のゲル状流体を吐出するためのノズル装着用の係止部を形成したゲル状流体充填容器の前後端を固定するとともに、上記容器本体を上記吐出口の反対側から押しつぶして内部のゲル状流体を吐出させる回転ローラを備えたことを特徴とする、ゲル状流体充填容器の搾り出し装置。
【発明の詳細な説明】
【技術分野】
【０００１】
本発明は、住宅等の外壁材間のシールに用いられるコーキング剤や接着剤などのゲル状流体の充填容器と、上記流体を外部に吐出させる搾り出し装置に関する。
【背景技術】
【０００２】
例えばコーキング剤は、住宅等の建築の際に外壁材に生じる隙間等に注入するシール用材料であって、練り歯磨きのようなゲル状の液体として充填されており、注入後は乾燥して硬化する。コーキング剤は、住宅等の外壁材間のシールに用いられ、大量に消費されるため、使用後の充填容器の廃棄処理に関し、使用後の充填容器の形状や、残留するコーキング剤の量は、廃棄処分上、また対環境性から大きな問題とされる。
【０００３】
ところで、ゲル状流体の充填容器には大きく分けて以下の２種類がある。
【０００４】
一つは硬い円筒状の紙製の筒にコーキング剤を充填するものであり、吐出口の反対側からピストンを挿入して水鉄砲のようにコーキング剤を押し出す搾り出し装置とともに用いられる。
【０００５】
もう一つは、合成樹脂製のシート材を２枚合わせて周囲を接着し、そのシート材の間にゲル状流体を充填するものであり、練り歯磨きのチューブのようなもので、内容物を手で搾り出す構成である。
【０００６】
前者の充填容器には、内容物のコーキング剤を残さず全て吐出させることができるという利点があり、また後者の充填容器には、コーキング剤の吐出後、充填容器がかさばらないという利点がある。
【特許文献１】特開２００３−２１３９２５公報
【発明の開示】
【発明が解決しようとする課題】
【０００７】
しかしながら、前者の充填容器には、コーキング剤押し出し後の紙パイプ容器が押し出し前と同じ体積であり、かさばるため廃棄処分上問題があり、さらに、後者の充填容器に比べて製作コストが高いという問題がある。また、後者の充填容器には、内容物を全て絞りきることができず少量が吐出口の近傍に残ってしまうという問題があり、内容物が無駄になるだけでなく廃棄による環境への影響が懸念されていた。
【０００８】
また、２種類の樹脂を現場で混合させて使用する二液タイプの接着剤もあり、これについては、従来、前者の充填容器のみが採用されていて、上記廃棄処分上の問題点があった。
【０００９】
本発明は上記問題点を解消すべくなされたものであり、一液タイプ（一種類の流体のみで構成されているもの）、および二液タイプ（二種類の流体で構成されているもの）のゲル状流体の充填容器について、内容物であるゲル状流体をほぼ全て吐出させることができ、環境に悪影響を与えることなく廃棄できて、しかも廃棄時にかさばらないゲル状流体充填容器及び該充填容器から効率的にゲル状流体を吐出させる搾り出し装置を提供することを課題とする。
【課題を解決するための手段】
【００１０】
上記課題を解決するため、請求項１に係る発明は、容器本体をアルミ箔を挟んだ合成樹脂製のシート材で構成したゲル状流体充填容器において、上記容器本体の吐出口には、扁平状の吐出カラーを固定し、この吐出カラーには、内部のゲル状流体を吐出するためのノズル装着用の係止部を形成したことを特徴とする。
【００１１】
請求項２に係る発明は、請求項１において、上記吐出カラーには上記ゲル状流体を吐出する吐出口が形成され、この吐出口をアルミ箔を挟んだ合成樹脂製のシート材によって封止したことを特徴とする。
【００１２】
請求項３に係る発明は、請求項１又は２において、上記吐出カラーの両側には薄肉のフィンが形成されていることを特徴とする。
【００１３】
請求項４に係る発明は、請求項１、２又は３において、上記ノズルの基部は上記吐出カラーの吐出口内に嵌入されるものであることを特徴とする。
【００１４】
請求項５に係る発明は、容器本体をアルミ箔を挟んだ合成樹脂製のシート材で構成した２つの容器本体に別個のゲル状流体を充填し、それぞれの吐出口を一体に結合してなるゲル状流体充填容器において、それぞれの容器本体のゲル状溶液の吐出口には、扁平状の吐出カラーを固定し、両吐出カラーを重合して一体に結合するとともに、上記各吐出カラーの先端には断面が略半円形の吐出端部を形成し、上記両吐出カラーを結合したとき、吐出端部は円筒状に形成されることを特徴とする。
【００１５】
請求項６に係るゲル状流体充填容器の搾り出し装置は、容器本体を合成樹脂製のシート材で構成したゲル状流体充填容器において、上記容器本体の吐出口には、扁平状の吐出カラーを固定し、この吐出カラーには、内部のゲル状流体を吐出するためのノズル装着用の係止部を形成したゲル状流体充填容器の前後端を固定するとともに、上記容器本体を上記吐出口の反対側から押しつぶして内部のゲル状流体を吐出させる回転ローラを備えたことを特徴とする。
【発明の効果】
【００１６】
請求項１に係る発明によれば、容器本体をアルミ箔を挟んだ合成樹脂製のシート材で構成し、容器本体の吐出口には、扁平状の吐出カラーを固定し、この吐出カラーには、内部のゲル状流体を吐出すためのノズル装着用の係止部を形成したので、ゲル状流体を搾り出すにつれてゲル状流体の残量が減るにつれて容器本体の容積は小さくなる。そして、ゲル状流体を最大限に絞りきったとき、吐出カラーは扁平に形成されているから、容器本体と吐出カラーとの間にほとんどスペースがなくなり、ゲル状流体の残量もほとんどない。したがって、容器本体内のコーキング剤はほとんど無駄なく使い切ることができる。なお、容器本体はアルミ箔を挟んだ合成樹脂製のシート材で構成されているので、空気中の水分が内部に浸入するのが遮断される。
【００１７】
また、容器本体は合成樹脂のシート材から構成され、また吐出カラーは扁平に形成されているので、ゲル状流体が吐出された後は全体が扁平になる。したがって、ゲル状流体を大量に使用し、多数の空容器が溜まっても、廃棄時にかさばることがなく、廃棄環境に悪影響を与えることがない。
【００１８】
請求項２に係る発明によれば、さらに、吐出カラーの吐出口をアルミ箔を挟んだ合成樹脂製のシート材によって封止したから、吐出口を開くには適宜の棒状の治具で上記シート材を破けばよく、従来のようにキャップを外す必要がないので、簡単に開口することができる。
【００１９】
請求項３に係る発明によれば、さらに、吐出カラーの両側には薄肉のフィンが形成されているので、２枚のシート材は上記フィンの表裏面に溶着されるので、吐出カラーとシート材との密着性がよい。
【００２０】
請求項４に係る発明によれば、さらに、ノズルの基部は上記吐出カラーの吐出口内に嵌入されるものであるから、容器本体内から吐出カラー内に押し出されたゲル状流体はすべてノズル内に入り込んでノズル内に残っている。このノズルは別のゲル状流体充填容器に使用することができるから、ノズル内の残留流体はそのときに使用される。したがって、容器本体内のコーキング剤はほとんど無駄なく使い切ることができる。
【００２１】
請求項５に係る発明によれば、それぞれの容器本体のゲル状溶液の吐出口には、扁平状の吐出カラーを固定し、両吐出カラーを重合して一体に結合するとともに、上記各吐出カラーの先端には断面が略半円形の吐出端部を形成し、上記両吐出カラーを結合したとき、吐出端部は円筒状に形成されるから、この吐出端部に公知のスタティックミキサーを装着して吐出端部から吐出された２液を混合させて搾り出すことができる。
【００２２】
また、コーキング剤を搾り出すにつれてコーキング剤の残量が減るにつれて容器本体の容積は小さくなる。そして、コーキング剤を最大限に絞りきったとき、吐出カラーは扁平に形成されているから、容器本体と吐出カラーとの間にほとんどスペースがなくなり、コーキング剤の残量もほとんどない。したがって、容器本体内のコーキング剤はほとんど無駄なく使い切ることができる。
【００２３】
また、容器本体は合成樹脂のシート材から構成され、また吐出カラーは扁平に形成されているので、コーキング剤が吐出された後は全体が扁平になる。したがって、コーキング剤を大量に使用し、多数の空容器が溜まっても、廃棄時にかさばることがなく、廃棄環境に悪影響を与えることがない。
【００２４】
請求項６に係る発明によれば、上述の充填容器Ａの前後の端部を固定した状態で回転ローラによって内容物を搾り出す場合、吐出カラーは扁平に形成されているから、残量がほとんどない状態にまで搾って吐出させることができる。したがって、最も無駄がなく効率的で、しかも容易に搾り出すことができる。
【００２５】
しかも、充填容器の前後の端部が固定されているので、内容物が排出される充填容器の吐出口の位置は、上記の搾り出し作業を通じて終始変わることがない。したがって、内容物の排出位置が常に同じ位置に安定しているから、内容物を塗布する作業も効率的に行なうことができる。
【発明を実施するための最良の形態】
【００２６】
［実施形態１］
本発明の第１の実施形態として、一液タイプのゲル状流体の充填容器をコーキング剤の充填容器について説明する。
【００２７】
図１及び図２において符号Ａはコーキング剤の充填容器を示す。この充填容器Ａは、容器本体１と吐出カラー２とから構成されている。
【００２８】
容器本体１は、図２に示すように、アルミ箔を挟んだ合成樹脂製のシート材３を２枚溶着することによって構成されている。すなわち、同一形状の長方形シート材２枚の対応する辺同士が重ね合わされ、その長辺部４は端部に沿って一定の幅で加熱溶着されている。また、一方の短辺部５ａの端部の中央部分には、吐出カラー２が固定されている。
【００２９】
吐出カラー２は、図４に示されるように、ポリプロピレン等の合成樹脂により外形が扁平な六角形の短筒状のカラー本体２ａの中央に長円形状の吐出口６を形成し、吐出口６の両側にはノズルを装着するための穴状の凹部７を形成し、これらの凹部７の内壁には係止顎８を突出形成してなるものである。係止顎８の開口端側はテーパ状に形成されている。さらに、吐出カラー２の両側には薄肉のフィン１０が形成されている。
【００３０】
なお、吐出カラー２の背面には、上記吐出口６を封止するアルミ箔を挟んだ合成樹脂シート又はアルミニウムの薄膜等によるキャップシール１１が接着又は溶着されている。
【００３１】
上記構成において、吐出カラー２は上記２枚のシート材３の短辺部５ａの間に挟まれ、吐出カラー２の表裏両面はそれぞれ上記表裏のシート材３の短辺部５ａによって溶着されている。直接に接触する短辺部５ａも斜めに溶着されている。吐出カラー２の両側には薄肉のフィン１０が形成され、２枚のシート材３は上記フィン１０の表裏面に溶着されるので、吐出カラー２とシート材３との密着性がよい。これにより、容器本体１は底部のみが開放されている。そこで、この開放部からコーキング剤を充填し、充填後に底部５ｂを溶着してシールすることにより、充填容器Ａの内部にコーキング剤が密封される。
【００３２】
次に、符号１２はノズルを示す。このノズル１２は合成樹脂製で、基部の胴部１３とその先端側の絞り部１４とから構成されている。胴部１３は吐出カラー２の吐出口６の内側に嵌合可能な大きさと形状に形成され、その先の絞り部１４は先細になるように絞られ、先端はやや尖り気味に形成され、丸みを帯びた先端部にコーキング剤の吐出孔９が形成されている。胴部１３の周囲には係合凸部１５が形成されている。胴部１３の基端と係合凸部１５との間の距離は、吐出カラー２の吐出口６の長さと同じになるように形成されている。
【００３３】
また、ノズル１２の両側には吐出カラー２の凹部７に挿入可能な係止片１６が形成され、係止片１６の先端には吐出カラー２の係止顎８に係止可能な係止孔１７が形成されている。
【００３４】
上記構成において、充填容器Ａ内のコーキング剤を吐出させるときは、まず吐出カラー２の底部のキャップシール１１を適宜の棒状治具で破いて吐出口６を開く。そして、図２及び図３に示されるように、ノズル１２の胴部１３を吐出口６に嵌入するとともに、両側の係止片１６を吐出カラー２の両側の凹部７に挿入するノズル１２の胴部１３の係合凸部１５が吐出口６の開口縁に係合すると同時に、係止片１６は係止顎８に係合したときにいったんはその弾性により内側に変形するが、係止孔１７が係止顎８に嵌り合うと元の形に復帰する。これにより、ノズル１２は係合凸部１５の係合と係止孔１７の係止により、それ以上挿入することもできず、また抜き出すこともできない状態となり、係止孔１７に係止顎８が係止した状態で保持される。
【００３５】
吐出カラー２にノズル１２を装着した後、容器本体１を搾ることにより、内部のコーキング剤は吐出口６を経てノズル１２の先端の吐出孔９から吐出される。そして、コーキング剤を搾り出しきったら、ノズル１２の係止片１６を指で内側に曲げ、係止孔１７と係止顎８との係止を解除して外側に引き出せば、ノズル１２を抜き出すことができる。ノズル１２は他の容器に使いまわしすることができる。
【００３６】
コーキング剤を搾り出すにつれてコーキング剤の残量が減るにつれて容器本体１の容積は小さくなる。そして、コーキング剤を最大限に絞りきったとき、吐出カラー２は扁平に形成されているから、容器本体１と吐出カラー２との間にほとんどスペースがなくなり、コーキング剤の残量もほとんどない。また、容器本体１から吐出カラー２内に移ったコーキング剤はすべてノズル１２内に残っている。したがって、容器本体１内のコーキング剤はほとんど無駄なく使い切ることができる。
【００３７】
また、容器本体１は合成樹脂のシート材３から構成され、また吐出カラー２は扁平に形成されているので、コーキング剤が吐出された後は全体が扁平になる。したがって、コーキング剤を大量に使用し、多数の空容器が溜まっても、廃棄時にかさばることがなく、廃棄環境に悪影響を与えることがない。
【００３８】
次に、上記ゲル状流体充填容器の内部の流体を吐出させるときは、図５及び図６に示される搾り出し装置Ｃを使用するのがよい。すなわち、搾り出し装置Ｃは、装置本体３１と搾り機構３８とその駆動機構とから構成されている。
【００３９】
装置本体３１には、容器搾り装置を把持するためのグリップ３３が形成されているとともに、充填容器Ａを支持するための支持板３２が前方に向けて突出するように形成されている。支持板３２の中央部にはこの支持板３２上に支持される充填容器Ａの長手方向に沿った開口３４が形成されており、この開口３４の両側の内側縁には開口３４の長手方向に沿った案内溝３５が形成されている。
【００４０】
支持板３２の長手方向に沿ってスライド可能なスライダ３６が設けられている。スライダ３６の両側縁には突条（図示せず）が形成されており、この突条が前記支持板３２の開口３４の両側縁に形成された案内溝３５と係合することによってスライダ３６が装置本体３１に対してスライド可能に支持されている。
【００４１】
上記スライダ３６の前端上部には支持板３２上に載置される充填容器Ａを搾り出す搾り機構３８が設けられている。この搾り機構３８は、充填容器Ａを上下方向から搾り出すように上下方向に対向して配置されている下部ローラ３９と上部ローラ４１とによって構成されている。各ローラ３９、４１は回転ローラで、スライダ３６のスライド方向と直交する軸４３によってそれぞれ上部枠４０と下部枠４２内に回転自在に支持されており、上部枠４０が前記スライダ３６の前端上部に固定されている。また、下部枠４２は上部枠４０に対して開閉可能になっている。
【００４２】
装置本体３１には充填容器Ａを固定するための固定手段が設けられている。すなわち、装置本体３１の前後端部上面には充填容器Ａの前部のノズル１２のＬ形係止片１６の内側に挿入可能な係合片５３と、充填容器Ａの後部２５側に形成された突縁部４６を装置本体３１に固定するための押え部材２６が形成されている。これらがそれぞれ１対ずつ設けられている。押え部材２６は装置本体３１に対して上下に移動可能に設けられ、下部でロックできるようになっている。
【００４３】
充填容器Ａの後部にはシールされて扁平状に形成された後部２５側に固定用の突縁部４６が後端の端縁に沿って形成されており、この突縁部４６を前記装置本体３１の押え部材２６に係合させることによって充填容器Ａの後部２５側が装置本体３１に固定されるようにしている。押え部材２６によって後部２５側が装置本体３１に固定された充填容器Ａの後部２５に近い部分を前記下部ローラ３９と上部ローラ４１で挟み込み、スライダ３６を前方へ移動させることによって充填容器Ａが後部２５側から前方へ向けて順次圧潰しされる。
【００４４】
次に、上記装置本体３１には、前記搾り機構３８の下部ローラ３９と上部ローラ４１を支持板３２に沿って前方へスライド移動させて上記搾り機構３８を駆動する駆動機構が設けられている。この駆動機構は、前記スライダ３６の下面にスライダ３６の長手方向に沿って形成されている多数の歯４７と、この歯４７と噛み合いされるとともに前記装置本体３１に形成されているグリップ３３と対向して装置本体３１に回動可能に支持されているトリガ４９とにより構成されている。
【００４５】
スライダ３６の下面側には長手方向に沿った凹溝４８が形成されており、この凹溝４８の底部に鋸刃状の多数の歯４７が長手方向に沿って形成されており、さらに、上記装置本体３１に支軸５０を中心に回動可能に設けられているトリガ４９の上端部には、上記スライダ３６の下面に形成されている歯４７と噛合可能な爪片５１が揺動自在に取り付けられている。なお、トリガ４９は常時グリップ３３から速ざかるように、また爪片５１は前端がスライダ３６の歯４７と噛合するように、図示しないバネによって付勢されている。
【００４６】
上記搾り出し装置Ｃに充填容器Ａを取り付けるときは、まず上部ローラ４１を開き、充填容器Ａの後部２５側の端部を下部ローラ３９の上部に配置して充填容器Ａの後部２５側の突縁部４６を装置本体の押え部材２６に係合させて充填容器Ａを装置本体３１に固定させる。また、支持板３２の前端の係合片５３に充填容器Ａの前部のノズル１２のＬ形係止片１６の内側を係合させ、充填容器Ａを支持板３２の上面に固定された状態で取りつけられる。その後上部ローラ４１を下部ローラ３９に対向するように下部枠４２を上部枠４０側に閉じて固定させる。これによって上部ローラ４１と下部ローラ３９との間に充填容器Ａの後部２５が挟持される。
【００４７】
次に、充填容器Ａの内容物（ゲル状流体）を搾り出すときは、グリップ３３を握って充填容器Ａのノズル１２を必要な部位にあてがい、トリガ４９を引く。トリガ４９は支軸５０を中心に回動して上端の爪片５１がスライダ３６の歯４７に噛合した状態で前方に移動してスライダ３６を前方に移動させる。充填容器Ａの後部２５側は装置本体３１の後部に固定されているため、スライダ３６が前方へ移動することによってスライダ３６の前端部に形成されている搾り機構３８が前方へ移動して、上部ローラ４１と下部ローラ３９とが充填容器Ａをしごいて押し潰しながら転動して前方へ移動し、上部ローラ４１と下部ローラ３９による圧潰し部が徐々に前方へ移動される。このとき、充填容器Ａが絞られて内容物はノズル１２から吐出される。
【００４８】
その後、トリガ４９に対する力を抜くと、トリガ４９はバネ力により再び元の位置に戻るが、このとき爪片５１が揺動してスライダの歯４７から離反されて後方へ移動するのでスライダ３６は後方へは動かない。再びトリガ４９を引くと、爪片５１がスライダ３６の後方側の歯４７と係合してスライダ３６を前方へ移動させ、上部ローラ４１と下部ローラ３９による絞り機構３８が更に前方へ移動して、充填容器Ａが絞られて内容物がノズル１２から搾り出されて吐出する。
【００４９】
上記操作を繰り返すことにより、充填容器Ａの搾り機構３８が徐々に前方へ移動して、充填容器Ａ内の内容物を徐々に搾り出すことができる。最終的には図７のように充填容器Ａの吐出カラー２のぎりぎり間際まで搾り出すことができる。なお、充填容器Ａはアルミ箔を挟んだ合成樹脂製シートからなるので、実際には充填容器Ａは吐出カラー２の間際では図７ほどは撓まない。
【００５０】
上述のように、充填容器Ａの前後の端部を装置本体３１の前後部に固定した状態でローラ３９、４１によって内容物を搾り出す場合、吐出カラー２は扁平に形成されているから、残量がほとんどない状態にまで搾って吐出させることができる。したがって、最も無駄がなく効率的で、しかも容易に搾り出すことができる。
【００５１】
しかも、充填容器Ａの前後の端部が装置本体３１の前後部に固定されているので、内容物が排出される充填容器Ａのノズル１２位置は、上記の搾り出し作業を通じて終始変わることがない。したがって、内容物の排出位置が常に同じ位置に安定しているから、内容物を塗布する作業も効率的に行なうことができる。
【００５２】
なお、絞り機構を駆動する駆動機構は上述の形態に限定されない。ピニオン・ラック機構を利用してもよいし、他の公知の機構を利用してもよい。
【００５３】
［実施形態２］
次に、第２の実施形態として、ゲル状流体を二液タイプの接着剤とした流体充填容器Ｂについて図８〜図１１に基づき説明する。
【００５４】
接着剤にはシリコン系やウレタン系の樹脂による一液タイプのものだけでなく、エポキシ系、ウレタン系、アクリル系の樹脂を現場で混合させて使用する二液タイプの接着剤がある。本実施形態の二液タイプのゲル状流体充填容器Ｂは、基本的には上記一液タイプの充填容器Ａの本体１の吐出カラー２を変えたものを図８に示すように２つ結合させた態様で構成される。
【００５５】
すなわち、図８に示すように、充填容器Ｂは、各々が同一形状である第１の充填容器Ｂ１と第２の充填容器Ｂ２とを以下に説明する要領で接着して構成される。
【００５６】
第１の充填容器Ｂ１及び第２の充填容器Ｂ２の吐出カラー２は、図９（ａ）（ｂ）に示されるように、それぞれ上記一液タイプの吐出カラー２と同様に、フィン１０を含む平面で切断して得られる断面が台形形状のカラー本体２ａの先端に半円筒状の吐出部２０を延出形成したもので、図１０に示されるように、シート材３の一方の両側長辺部４の一端４ａは右又は左に曲がり、その先端の短辺部５ａの間にはカラー本体２ａが挟み込まれて加熱溶着されている。なお、各吐出カラー２の底部にはキャップシール（図示せず）が施されている。２１は雄ネジである。
【００５７】
次に、第１の充填容器Ｂ１と第２の充填容器Ｂ２とは、両吐出カラー２を平面部分２２で接着することにより、カラー本体２ａは六角形状、吐出部２０は円筒形となり、二液タイプの充填容器Ｂが構成される。容器本体１は底部側の短辺部５ａのみが開放されている。この開放部からそれぞれ接着剤用のゲル状液体を充填し、充填後に底部５ｂを溶着してシールする。これにより、第１の充填容器Ｂ１と第２の充填容器Ｂ２の内部にコーキング剤が密封された充填容器Ｂが完成する。なお、第１の充填容器Ｂ１と第２の充填容器Ｂ２とは図１１に示すように左右に分かれるので、充填容器Ｂは全体として厚くなることはない。
【００５８】
次に、符号２３はスタティックミキサー（図８参照）を示す。スタティックミキサー２３は、内部には複雑に入り組んだ通路が形成され、基部から独立に入り込んだ流体が内部の通路を通過する間に混合されるように形成されている公知の筒状部材である。
【００５９】
上記構成において、充填容器Ａ内の二液を吐出させるときは、まず第１の充填容器Ｂ１と第２の充填容器Ｂ２の吐出カラー２の底部のキャップシールを破いて吐出口６を開く。そして、スタティックミキサー２３の基部を円筒形の吐出部２０の先端部に嵌合し、さらにナット２４の雌ネジを吐出部２０の雄ネジ２１に螺合して装着する。
【００６０】
吐出カラー２にスタティックミキサー２３を装着した後、第１の充填容器Ｂ１と第２の充填容器Ｂ２の容器本体１を搾ることにより、内部のゲル状液体が吐出カラー２と吐出部２０の吐出口６を経て吐出され、スタティックミキサー２３に押し込まれる。スタティックミキサー２３に独立に入り込んだ２つの液体は内部の通路を通過する間に混合され、接着対象物に塗布される。そして、二液を搾り出しきったら、スタティックミキサー２３を外し、あるいはスタティックミキサー２３ごと廃棄する。
【００６１】
以上のように、接着剤を搾り出すにつれて接着剤の残量が減るにつれて容器本体１の容積は小さくなる。そして、接着剤を最大限に絞りきったとき、吐出カラー２は扁平に形成されているから、容器本体１と吐出カラー２との間にほとんどスペースがなくなり、接着剤の残量もほとんどない。したがって、容器本体１内の接着剤はほとんど使い切ることができる。
【００６２】
また、容器本体１は合成樹脂のシート材３から構成され、また吐出カラー２は扁平に形成されているので、接着剤が吐出された後は全体が扁平になる。したがって、接着剤を大量に使用し、多数の空容器が溜まっても、廃棄時にかさばることがなく、廃棄環境に悪影響を与えることがない。
【００６３】
なお、吐出カラー２のカラー本体２ａは外形が六角形状に限定されない。例えば楕円形であっても、あるいは角部と曲面とを連続させたものであってもよい。
【００６４】
また、上記実施形態のものも上述と同様のローラを備えた搾り出し装置によって効率的に搾り出すことができる。
【００６５】
なお、回転ローラは上下２個を配置したものに限定されない。１個だけで絞る構成であってもよい。
【００６６】
また、搾り出し装置に充填容器を固定する手段も、図に示したものに限定されない。他の固定手段によってもよいのはもちろんである。
【図面の簡単な説明】
【００６７】
【図１】第１の実施形態に係るゲル状流体充填容器とノズルの斜視図
【図２】上記ゲル状流体充填容器にノズルを取付けた状態を示す斜視図
【図３】図１のＸ−Ｘ線に沿う断面図
【図４】吐出カラーの斜視図
【図５】搾り出し装置の縦断面図
【図６】上記搾り出し装置の要部の分解図
【図７】搾り出しの最終の状態を示す要部の断面図
【図８】第２の実施形態に係るゲル状流体充填容器とスタティックミキサーの斜視図
【図９】（ａ）（ｂ）は吐出カラーの表側と裏側の斜視図
【図１０】上記ゲル状流体充填容器を第１、第２の充填容器に分解した斜視図
【図１１】上記ゲル状流体充填容器の要部の平面図
【符号の説明】
【００６８】
Ａ、Ｂ  充填容器
１    容器本体
２    吐出カラー
３    シート材
１２  ノズル
【図１】
2008063006.tif 000003
【図２】
2008063006.tif 000004
【図３】
2008063006.tif 000005
【図４】
2008063006.tif 000006
【図５】
2008063006.tif 000007
【図６】
2008063006.tif 000008
【図７】
2008063006.tif 000009
【図８】
2008063006.tif 000010
【図９】
2008063006.tif 000011
【図１０】
2008063006.tif 000012
【図１１】
2008063006.tif 000013
【手続補正書】
【提出日】平成19年9月27日(2007.9.27)
【手続補正１】
【補正対象書類名】図面
【補正対象項目名】図５
【補正方法】変更
【補正の内容】
【図５】
2008063006.tif 000014
【手続補正２】
【補正対象書類名】図面
【補正対象項目名】図６
【補正方法】変更
【補正の内容】
【図６】
2008063006.tif 000015